(57)【特許請求の範囲】
【請求項１】
生地組織を成すグラウンド組織は、少なくとも２個のグラウンドガイドバーが複数個数字配列のチェーン番号数字群からなる単位チェーンにより１個形成される一定の形状の網組織（Ａ）と、前記チェーン番号数字群と同じチェーン番号数字群が連続的に繰り返されるように組み立てられた複数個の単位チェーンにより複数個形成される前記網組織（Ａ）と、さらに前記複数個の網組織（Ａ）と同時に、他のグラウンドガイドバーにより生地組織の一側に帯形態で一定間隔に形成される経編バンド（５１０）と、を有することを特徴とする経編バンド組織が形成された経編生地構造。
【請求項２】
前記グラウンドガイドバーのＧ１、Ｇ３、Ｇ４のチェーン番号は、Ｇ１が２−０、０−２であり、Ｇ３は、０−０、２−２であり、Ｇ４の場合は、０−０、０−０、０−０、０−０、０−０、０−０、０−０、０−０、０−０、０−０、０−０、２−２であることを特徴とする請求項１に記載の経編バンド組織が形成された経編生地構造。
【発明の詳細な説明】
【技術分野】
【０００１】
本発明は、経編機の一種である一般ラッシェル機により経編バンド組織が形成された経編生地構造（略称：バンドレース地）およびブラジャーの構造に関し、生地のグラウンド組織が一定形状の複数個の網組織から構成された単位組織だけで形成されることもでき、それぞれ異なる形状の単位組織が連続的かつ複合的に形成される生地にバンド組織を形成して製織できる経編バンド組織が形成された経編生地構造およびブラジャーの構造に関する。
【背景技術】
【０００２】
まず、本発明の技術を理解するために用語について解説する。経編生地の構成において経編生地は、グラウンド組織とパターン組織が共に組み合わせられて編織され、ここで、グラウンド組織とは、編織方向（縦）に経糸が一定の形状の網構造に織られる組織であって、経編生地を構成する基礎組織であって、パターンバーによるパターン組織の背景となる組織をいう。パターン組織とは、経編機により生地の製織時、グラウンド組織と共に織られる組織であって、編織方向に織られる緯糸で左右または直線、緩慢な曲線で編織される組織をいう。バーン−アウトとは、下地面を溶かして穴があけられて織物の組織構造を示すためのものをいう。
【０００３】
従来技術である第１実施例として韓国デザイン登録第３０−０３９７９５８号に示されており、そのデザイン内容は、図１に示されたように、グラウンド組織が同じ編物地であって、材質は、ナイロンまたはポリエステル原糸で製織した生地であり、編物地１の全体単一面上でグラウンド組織２が形成されることによって、多少広いグラウンド組織４は、製織時に縦糸に沿って上がって該当部分でグラウンドバーの役割をする糸が必要な場所だけで作動して一定形態のグラウンド組織４を製織するジャカード機で編織されたものであり、また、左右側の縦糸をつなぐパターンバーの糸が作動して立体感のある花模様パターン３を作る機能があるジャカードラッセル機で製織された技術が公知されている。
【０００４】
従来技術である第２実施例として図１のような従来技術の単調さを避けるために、本発明者は、韓国特許登録第１０−０９７０２３５号で特許を受けたことがあり、その技術は、図２に示されたように、ラッシェル機で複数個の単位チェーンで組み立てられたチェーンに連動する複数個のガイドバー間の相互作動により各ガイドバーに整経された経糸によりループ形態で編成されたグラウンド組織とパターン組織が組み合わせられて編成される経編生地において、前記グラウンド組織は、少なくとも２個のグラウンドガイドバーが複数個数字配列のチェーン番号数字群からなる単位チェーンにより一定の形状の網組織Ａを１個形成し、前記チェーン番号数字群と同じチェーン番号数字群が連続的に繰り返されるように組み立てられた複数個の単位チェーンにより前記網組織Ａを複数個形成し、前記チェーン番号数字群に引き続いて他の数字配列の連結用チェーン番号数字群からなる単位チェーンにより連結部１０ａ、１０ｂ、２０ａ、２０ｂを形成して表出される一定形態の単位組織Ｂと、前記単位組織Ｂから連続して前記単位組織Ｂのチェーン番号数字群および連結用チェーン番号数字群と同一または異なるチェーン番号数字群が複数個繰り返されて前記単位組織Ｂの形状と異なる形状で編成される複数個の単位組織Ｂを形成して、全体的に一つのサイクルを形成しつつ表出される単位デザイン１０で構成され、前記単位デザイン１０と同一または異なる形態の単位デザイン２０が横方向に連続的に少なくとも１個以上配列されて複合的に表出されることを特徴とするグラウンド組織が複合的単位組織により多様なデザイン形態で表出される経編生地１００を発明したことがある。
【０００５】
経編物の製造工程は、グラウンドビームおよびパターンビームに原糸を掛けておく原糸供給工程と、給糸機構により経糸ビームで送出された複数本の糸がそれぞれ対応するガイドバーに設置された編針に縦に供給する給糸工程と、所定のストランド数の経糸を長さおよび張力を均一に所定の幅になるように配列してビームに巻く整経工程と、針を利用して原糸が円筒で相互交差して原糸が出る一種の原糸を供給されて、整経された経糸が縦方向に供給されて整経された経糸の縺れにより縦方向に組織を編成させた編環が縦方向に連結されてグラウンド組織とパターン組織が似合って編成される編織工程と、編環がからまって編布を形成して編成された生地を巻くローリング工程とから構成される。
【０００６】
そして、製造しようとする経編物の生地デザインを意匠紙上に設計して原糸の移動経路を決定した後、移動経路による最小の単位となる１個の循環のグラウンド組織とパターン組織を示すチェーン配列表を作成し、その番号によって単位チェーンを組み立てて、それぞれの線輪に合う必要な整経および通経方法を表示する。
【０００７】
したがって、グラウンド組織およびパターン組織は、単位チェーンの形態別と高低の差異によって、そして組合わせられた単位チェーンの数字、すなわち組み合わせられた単位チェーンの距離によって多様な形態のグラウンド網組織と模様デザインに決定されるものである。
【０００８】
このように製織された生地２００は、図３に示されたように、グラウンド組織を形成する糸は、ポリであり、パターン組織を形成する糸は、綿からなるものであって（ポリと綿からなってもよいが、ポリにレーヨンなどの自然糸からなるものであってもよく、ナイロングラウンドとパターン糸ポリも可能である）、各製造工程を経ることによって、代表的な技術として生地にパターン加工面２１０には染色面を形成し、これにバーン−アウト２２０をさせることになれば、生地組織１００が現れることになり、その縁部には、発泡をさせて発泡面２３０を作って所望の色と形態などが現れることになっており、その下地を成すグラウンド組織が多様な形態で現れるので、全体的な視覚的な面において既存の一般ラッシェル機で表出される生地デザインよりもさらに多様な生地デザインが形成されることによって、高品格で表出されるものがあった。
【０００９】
図４及び図５の網組織を示す意匠設計図案で示すように、韓国特許登録第１０−０９７０２３５号のように、前記単位組織の網組織の形状が四角形、ダイヤモンド型、菱形または六角形からなるもののうちいずれか一つの形状で形成される。
【００１０】
前記四角形の網組織形状は、グラウンドガイドバーＧ１のチェーン番号数字群は、２−０、０−２、２−０、０−２であり、グラウンドガイドバーＧ２とＧ３のチェーン番号数字群は、網の形状によってＧ１のチェーン番号数字群を基本とし、Ｇ２とＧ３の可変的な様々なチェーン番号数字群である単位チェーンにより形成されることを明らかにする。
【００１１】
前記六角形の網組織形状は、基本形であって、グラウンドガイドバーＧ１のチェーン番号数字群は、２−０、０−２、２−０、２−４、４−２、２−４であり、グラウンドガイドバーＧ２のチェーン番号数字群である０−０、２−２、０−０、４−４、２−２、４−４と変形された六角の形態によって変化する単位チェーンにより形成される。
【００１２】
一方、網組織の大きさを変更させようとする場合には、Ｇ２またはＧ３の原糸Ｌ２、Ｌ３が１個以上編織方向または幅方向に目の進行方向に沿って１目引き抜き、２目引き抜きなどの編針間隔が一定間隔の形態でスキップするか、減少するように編織されることによって、網組織の形状、すなわち網目の幅と長さを変更させることができることを明らかにし、かつ、経糸の太さおよび間隔の変化を通じて様々な形態に形成され得ることはすでに公知されていることを明らかにしておく。
【００１３】
しかしながら、このようなレース地の下地を成す技術は開発されていたが、弾力を有する構造は開発されていないため、糸自体によるテンションだけを利用するのが実情であり、特に最も多く使用されるブラジャーのバスト輪郭（パンティーの腰帯）には、依然としてテンションバンド部を別途作成した上で、ブラジャーに付着して使用することになるため、厚みが厚いか、または製作がわずらわしいなどの問題点があった。
【００１４】
特に、ブラジャーは、バストを包む女性用下着であって、乳房を保持し保護し、バストの形態を校正する役割をするものであって、伸縮性を有する場合、健康に良いが、現在は、バストを圧迫するバスト輪郭テンションバンド部により胸をしめつけるという問題点があった。
【先行技術文献】
【特許文献】
【００１５】
【特許文献１】韓国デザイン登録第３０−０３９７９５８号
【特許文献２】韓国特許登録第１０−０９７０２３５号
【発明の概要】
【発明が解決しようとする課題】
【００１６】
本発明は、前述のような問題点を解消するためになされたものであって、製織工場で製織された生地に一定形態または多様な単位組織からなるグラウンド組織において、レース地の模様の一側の裏面に追加カバーリング糸（例えば、スパンデックスと糸）で伸縮性が良好なレース地を提供することにその目的がある。
【００１７】
また、従来のブラジャーの肩部位が厚くなって、弾力性がなく、活動性が保障され、健康美にも良いレース地を提供することにその目的がある。
【課題を解決するための手段】
【００１８】
本発明は、生地組織を成すグラウンド組織は、少なくとも２個のグラウンドガイドバーが複数個数字配列のチェーン番号数字群からなる単位チェーンにより１個形成される一定の形状の網組織（Ａ）と、前記チェーン番号数字群と同じチェーン番号数字群が連続的に繰り返されるように組み立てられた複数個の単位チェーンにより複数個形成される前記網組織（Ａ）と、さらに前記複数個の網組織（Ａ）と同時に、他のグラウンドガイドバーにより生地組織の一側に帯形態で一定間隔に形成される経編バンド（５１０）と、を有することを特徴とする経編バンド組織が形成された経編生地構造である。
【００１９】
そして、本発明において、前記グラウンドガイドバーのＧ１、Ｇ３、Ｇ４のチェーン番号は、Ｇ１が２−０、０−２であり、Ｇ３は、０−０、２−２であり、Ｇ４の場合は、０−０、０−０、０−０、０−０、０−０、０−０、０−０、０−０、０−０、０−０、０−０、２−２であることを特徴とする経編バンド組織が形成された経編生地構造である。
【００２０】
そして、本発明の一実施形態では、ブラジャーカップ部３１０とブラジャーストラップ３２０、バスト輪郭連結部３４０が形成され、また、レースカラーがブラジャーの下端縁に形成され、前記ブラジャーストラップ３２０は、その中間部にレース模様部３２３が形成されることによって、バスト輪郭連結部３４０にもその中間部にレース模様部３４３が形成された通常のブラジャー３００の構造において、ブラジャーの基本下地を成すレース地５００内に下地組織部５４０が編み込まれ、ブラジャーの下端縁には、レースカラー部５５０が編み込まれていると同時に、前記レースカラー部５５０と並んでレース地のテンションを与えるカバーリング糸から形成された経編バンド５１０が編み込まれていることを特徴とするブラジャーの構造である。
【００２１】
そして、本発明の別の実施形態では、ブラジャーカップ部３１０とブラジャーストラップ３２０、バスト輪郭連結部３４０が形成され、また、レースカラーがブラジャーの下端縁に形成され、前記ブラジャーストラップ３２０は、その中間部にレース模様部３２３が形成されることによって、バスト輪郭連結部３４０にもその中間部にレース模様部３４３が形成された通常のブラジャー３００の構造において、ブラジャーの基本下地を成すバンドレース地内で前記レース模様部３２３の両側縁は、レース地のテンションを与えるカバーリング糸から形成された経編バンド５１０が編み込まれていることを特徴とするブラジャーの構造である。
【００２２】
そして、本発明において前記経編バンド５１０の編織としてグラウンドガイドバーのＧ１、Ｇ３、Ｇ４のチェーン番号は、Ｇ１が２−０、０−２であり、Ｇ３は、０−０、２−２であり、Ｇ４の場合は、０−０、０−０、０−０、０−０、０−０、０−０、０−０、０−０、０−０、０−０、０−０、２−２であることを特徴とするブラジャーの構造である。
【発明の効果】
【００２３】
このように、本発明は、前記のような問題点を解消して、製織工場で製織された生地に一定形態または多様な単位組織からなるグラウンド組織において、レース地の模様の一側の裏面に追加カバーリング糸（例えば、スパンデックスと糸）で編織することによって、別途のテンションバンド部を使用しなくても、伸縮性が良好なレース地を提供する効果がある。
【００２４】
また、本発明は、ブラジャーにおける肩部位の厚みを減少しつつ、弾力性を与えることによって、活動性が保障され、健康美にも良い効果があるものである。
【図面の簡単な説明】
【００２５】
【図１】従来グラウンド組織が同じ編物地を示す。
【図２】従来グラウンド組織が複合的単位組織により多様なデザイン形態で表出される経編生地を示す。
【図３】図２の生地組織を加工した状態の実物写真を示す。
【図４】従来技術による四角形網組織の意匠紙図案を示す。
【図５】従来技術による六角形網組織の意匠紙図案を示す。
【図６】本発明に適用される従来技術によるブラジャーの一般的な形態の実物写真を示す。
【図７】本発明に適用される従来発明によるブラジャーが胴体の背中部分で結合される結合側部の部分を示す。
【図８（ａ）−（ｂ）】（ａ）は、従来一般的なブラジャーのバスト輪郭部分であり、（ｂ）は、本発明の実施形態を示し、従来のブラジャーにおけるバスト輪郭テンションバンド部に代替し得る本発明のバンドレース地の形態を示す実物写真である。
【図９（ａ）−（ｂ）】レース地の外面側部分を示し、（ａ）は、従来一般的なレース地の側端部であり、（ｂ）は、本発明の実施形態によるバンドレース地が製織されたレースの実物写真である。
【図１０（ａ）−（ｂ）】レース地の内面側部分を示し、（ａ）は、従来一般的なレース地にバスト輪郭テンションバンド部が付着された側端部であり、（ｂ）は、従来のテンションバンド部に相当する本発明のバンドレース地が製織されたレースの実物写真である。
【図１１（ａ）−（ｂ）】本発明のバンドレース地の拡大断面図であって、（ａ）は、バンドレース地の内面側部分であり、（ｂ）は、その反対面である外面側部分のレースの拡大実物写真である。
【図１２】本発明が適用される既存ビーム３個に追加的にバンドレース編織用特殊ビームが設置された状態の全景実物写真である。
【図１３】本発明の四角形網組織の組織図を示す図である。
【図１４】本発明のグラウンドバーのＧ１、Ｇ３、Ｇ４のチェーン番号を示す組織図である。
【図１５】本発明の基本的な下地組織とカバーリング糸が結合された状態の組織図である。
【発明を実施するための形態】
【００２６】
以下、添付の図面を参照して本発明によるバンドレースの好ましい実施例を説明する。この過程で図面に示された線の太さや構成要素の大きさなどは、説明の明瞭性と便宜上誇張して図示されていることがある。
【００２７】
また、後述する用語は、本発明での機能を考慮して定義された用語であって、これは、ユーザや実施者の意図または慣例によって変わり得る。したがって、このような用語に関する定義は、本明細書の全体の内容に基づいて解釈されなければならない。
【００２８】
以下、本発明を具体的な実施例を通じて説明する。
【００２９】
図６は、本発明に適用される従来技術によるブラジャーの一般的な形態の実物写真であり、図７は、本発明に適用される従来技術によるブラジャーが胴体の背中部分で結合される結合側部の部分である。
【００３０】
これらの図に示されたように、ブラジャー３００の下地組織であるレース地において、グラウンド組織を形成する糸は、ポリマーであり、パターン組織を形成する糸は、綿からなるものであり、各製造工程を経ることによって、図６及び図７に示すように、グラウンド組織による生地組織を利用して美しいデザインでブラジャーを形成している。
【００３１】
本発明を説明するためにこれらの構造を説明すれば、次のとおりである。
【００３２】
前記ブラジャー３００は、ブラジャーカップ部３１０とブラジャーストラップ３２０、バスト輪郭連結部３４０が形成され、また、レースカラー３５０が縁部に形成されている。
【００３３】
前記ブラジャーカップ部３１０は、様々な形態の技術が組み合わされて、乳房における着心地を良くしている。
【００３４】
前記ブラジャーストラップ３２０は、その中間部にレース模様部３２３が形成されることによって、その両側縁部にブラジャーストラップテンション部３２１およびブラジャーストラップテンション部３２２が形成されて、肩にかけることできるものである。
【００３５】
そして、バスト輪郭連結部３４０は、その中間部にレース模様部３４３が形成され、脇部分には、ブラジャーストラップテンション部３４２が形成されて、脇に挟持することができ、その下端には、バスト周りに巻くことができるようにバスト輪郭テンションバンド部３４１が形成されて、バスト部位のテンションを調節するようにしている。
【００３６】
参照符号３４５は、ブラジャーをからだに結束するためのフックである。
【００３７】
次に、本発明のバンドレースにより製織される編織物と、これを適用したバンドレース地によるブラジャーの構造について説明する。
【００３８】
図８（ａ）は、従来一般的なブラジャーのバスト輪郭部分であり、図８（ｂ）は、本発明の実施形態を示し、従来のブラジャーにおけるバスト輪郭テンションバンド部に代替し得る本発明のバンドレース地の形態を示す実物写真であり、図９（ａ）、（ｂ）は、レース地の外面側部分を示し、（ａ）は、従来一般的なレース地の側端部であり、（ｂ）は、本発明の実施形態によるバンドレース地が製織されたレースの実物写真であり、図１０（ａ）、（ｂ）は、レース地の内面側部分を示し、（ａ）は、従来一般的なレース地にバスト輪郭テンションバンド部が付着された側端部であり、（ｂ）は、従来のテンションバンド部に相当する本発明のバンドレース地が製織されたレースの実物写真であり、図１１（ａ）、（ｂ）は、本発明のバンドレース地の拡大断面図であって、（ａ）は、バンドレース地の内面側部分であり、（ｂ）は、その反対面である外面側部分のレースの拡大実物写真である。
【００３９】
図８（ａ）、（ｂ）に示されたように、従来ブラジャー３００のレース地の下端には、バスト輪郭テンションバンド部３４１が付着されていて、女性のバストをブラジャーストラップで多少テンションを与えることによって安定感を与えることになる。
【００４０】
しかしながら、このようなバスト輪郭テンションバンド部３４１の製造および使用に対する不便をなくすために、本発明は、以下に説明するように、レース地５００は、下地組織部５４０の中にレースカラー部５５０を造り込み、その下地組織と共に経編バンド５１０を編織するものである。
【００４１】
図９（ａ）は、レース地の表面、すなわち外側の技術であって、従来一般的なレース地の側端部として、従来レース地４００内にレース模様部３４３が形成され、その縁部にレースカラー３５０が形成され、表面には、各種模様をバーン−アウトさせてレース地の美感をさらに目立つようにしている。これに対して、図９（ｂ）は、これに相当するように本発明のレース地５００内に下地組織部５４０が形成され、その縁部には、レースカラー部５５０が編み込まれていると同時に、前記レースカラー部５５０と並んで経編バンド５１０が編み込まれており、かつ、その表面には、各種模様をバーン−アウトさせてレース地の美感をさらに目立つようにしている。
【００４２】
図１０（ａ）は、レース地の皮膚接着部、すなわち内面側の形態を示し、従来一般的なレース地の側端部として、従来レース地４００内にレース模様部３４３が形成され、その縁部にレースカラー３５０が形成されていると同時に、前記レースカラー３５０と並んでバスト輪郭テンションバンド部３４１が付着（追加装着）されており、内表面には、各種模様をバーン−アウトさせた跡が示されている。これに対して、図１０（ｂ）は、これに相当するように本発明のレース地５００内に下地組織部５４０が編み込まれており、その縁部には、レースカラー部５５０が編み込まれていると同時に、前記レースカラー部５５０と並んで経編バンド５１０編み込まれており、かつ、その内表面には、各種模様をバーン−アウトさせた跡が示されている。
【００４３】
したがって、本発明の一つの実施形態では、ブラジャーカップ部３１０とブラジャーストラップ３２０、バスト輪郭連結部３４０が形成され、また、レースカラーがブラジャーの下端縁に形成され、前記ブラジャーストラップ３２０は、その中間部にレース模様部３２３が形成されることによって、バスト輪郭連結部３４０にもその中間部にレース模様部３４３が形成された通常のブラジャー３００の構造において、ブラジャーの基本下地を成すレース地５００内に下地組織部５４０が編み込まれ、ブラジャーの下端縁には、レースカラー部５５０が編み込まれていると同時に、前記レースカラー部５５０と並んでレース地のテンションを与えるカバーリング糸から形成された経編バンド５１０が編み込まれているものである。
【００４４】
また、本発明の別の実施形態では、ブラジャーカップ部３１０とブラジャーストラップ３２０、バスト輪郭連結部３４０が形成され、また、レースカラーがブラジャーの下端縁に形成され、前記ブラジャーストラップ３２０は、その中間部にレース模様部３２３が形成されることによって、バスト輪郭連結部３４０にもその中間部にレース模様部３４３が形成された通常のブラジャー３００の構造において、ブラジャーの基本下地を成すバンドレース地内で前記レース模様部３２３の両側縁は、レース地のテンションを与えるカバーリング糸から形成された経編バンド５１０が編み込まれているものである。
【００４５】
ここで、「レース模様部３２３の両側縁」というのは、腕を挟む縁と胸から肩に渡ってフック３４５がある所までの縁をいう。
【００４６】
したがって、以上の構成による効果は、ブラジャーにおける肩部位の厚みを減少させつつ、弾力性を与えることによって、活動性が保障され、健康美にも良い効果があるものである。
【００４７】
図１１（ａ）、（ｂ）は、本発明のバンドレース地の拡大断面図であって、（ａ）は、バンドレース地の内面側部分でレースカラー部５５０の一側に経編バンド５１０が編み込まれている拡大図であり、（ｂ）は、その反対面である外面側部分でレースカラー部５５０の一側に経編バンド５１０が編み込まれているレースの拡大実物写真である。
【００４８】
次に、本発明に使用される編織装置について説明する。
【００４９】
図１２は、本発明が適用される既存ビーム３個に追加的にバンドレース編織用特殊ビームが設置された状態の全景実物写真である。
通常の編織装置は、３個のビームで糸を供給するが、本発明の場合には、特殊組織を編織するので、追加される一つのビームがさらに設置されて運営される。
【００５０】
次に、本発明に適用されるグラウンドバーによるチェーン番号を説明する。
【００５１】
図１３は、本発明の四角形網組織の組織図を示す図であり、図１４は、本発明のグラウンドバーのＧ１、Ｇ３、Ｇ４のチェーン番号を示す組織図であり、図１５は、本発明の基本的な下地組織とカバーリング糸が結合された状態の組織図である。
【００５２】
上記のような本発明に対するガイドバーによるチェーン番号を説明する。
【００５３】
図１３に示されたように、四角形網組織の組織図は、１番グラウンドガイドバーが針配置表２から０に回って再び２から４に、４から６に回って４から２に回ることによって繰り返して組織網を形成するが、２．４地点では、自ら「目」を形成し、４．２も、自ら「目」を形成する。
【００５４】
２番グラウンドガイドバーも、１番と反対方向に、しかし、同じ方式で動作をする。
ジアミ組織とは異なって、１番ガイドの４．６が２番ガイドの２．０が接する地点は、互いに「Ｘ」字形状に形態が成される点である。
【００５５】
次に、別に１番ガイドの２．０と２番ガイドの４．６が接する地点は、互いに「Ｘ」 字形状に形態が成される点である。
【００５６】
これは、そばの針に挟まれる原糸が側面にある針に挟まれ、側面にある針に挟まれなければならない原糸は、そばにある他の針に原糸が挟まれる動作を左右で同時に一緒に行うことによってなされる形態になり、原糸は、図面とは異なって、張力を受けて編織されることによって交差するこの地点は、原糸が引かれて「Ｘ」字形状の形態になるものである。
【００５７】
このようなグラウンド組織は、少なくとも２個のグラウンドガイドバーが複数個数字配列のチェーン番号数字群からなる単位チェーンにより一定の形状の網組織１個を形成し、前記チェーン番号数字群と同じチェーン番号数字群が連続的に繰り返されるように組み立てられた複数個の単位チェーンにより前記網組織を複数個形成することになるものである。即ち、本発明は、生地組織を成すグラウンド組織は、少なくとも２個のグラウンドガイドバーが複数個数字配列のチェーン番号数字群からなる単位チェーンにより１個形成される一定の形状の網組織（Ａ）と、前記チェーン番号数字群と同じチェーン番号数字群が連続的に繰り返されるように組み立てられた複数個の単位チェーンにより複数個形成される前記網組織（Ａ）と、さらに前記複数個の網組織（Ａ）と同時に、他のグラウンドガイドバーにより生地組織の一側に帯形態で一定間隔に形成される経編バンド（５１０）と、を有することを特徴とする経編バンド組織が形成された経編生地構造である。
【００５８】
図１４および図１５に示されたように、本発明のグラウンドガイドバーのＧ１、Ｇ３、Ｇ４のチェーン番号は、Ｇ１が２−０、０−２であり、Ｇ３は、０−０、２−２であり、Ｇ４の場合は、０−０、０−０、０−０、０−０、０−０、０−０、０−０、０−０、０−０、０−０、０−０、２−２である。
【００５９】
上記のように、グラウンドバーのＧ１、Ｇ３、Ｇ４のチェーン番号としてＧ１が２−０、０−２であることによって下地組織部５４０の環形態の原糸５４０ａが上がることになり、前記チェーン番号としてＧ３は、０−０、２−２によりさらに他の下地組織部５４０の波形形態の原糸５４０ｂが前記原糸５４０ａと模様を作り、引き続いて、前記チェーン番号としてＧ４の場合は、０−０、０−０、０−０、０−０、０−０、０−０、０−０、０−０、０−０、０−０、０−０、２−２により部分的に前記レースカラー部５５０の一側に形成される原糸５４０ｃであって、帯のような形態の経編バンド５１０を製織することになるものである。
【００６０】
図１５には、下地組織部５４０の波形形態の原糸５４０ｂが示されていないが、これは、スパンデックスであって、グラウンドバーのＧ１内に埋め込まれていて見られないため、図示しなかった。
【００６１】
本発明について、図面に示された実施例を参考として説明したが、これは、例示的なものに過ぎず、当該技術の属する分野における通常の知識を有する者なら、これから多様な変形および均等な他の実施例が可能であるという点を理解することができるであろう。
【００６２】
したがって、本発明の技術的保護範囲は、特許請求範囲により定められなければならない。
【符号の説明】
【００６３】
３００  ブラジャー
３１０  ブラジャーカップ部
３２０  ブラジャーストラップ
３４０  バスト輪郭連結部
３４３  レース模様部
３５０  レースカラー
４００  従来レース地
５００  レース地
５１０  経編バンド
【図１】
0006971298.tif 000002
【図２】
0006971298.tif 000003
【図３】
0006971298.tif 000004
【図４】
0006971298.tif 000005
【図５】
0006971298.tif 000006
【図６】
0006971298.tif 000007
【図７】
0006971298.tif 000008
【図８】
0006971298.tif 000009
【図９】
0006971298.tif 000010
【図１０】
0006971298.tif 000011
【図１１】
0006971298.tif 000012
【図１２】
0006971298.tif 000013
【図１３】
0006971298.tif 000014
【図１４】
0006971298.tif 000015
【図１５】
0006971298.tif 000016